(57)【要約】  手持ち式医療装置は、出力駆動シャフトと軸方向に整列する内部流れ通路を備える。駆動シャフトは、内部流れ通路および出力駆動シャフトからオフセットされたモータ組立体によって動力を供給される。駆動シャフトおよびモータ組立体は、歯車列によって接続することができる。手持ち式医療装置に外科用器具を固定するために、コレット機構を使用することができる。手持ち式医療装置の正反対に位置する部分の上に、第１ボタン組立体および第２ボタン組立体を配置することができる。
2010527279.tif 000002
【特許請求の範囲】
【請求項１】
細長いモータ組立体を囲むハンドピース外部筐体を備え、細長いモータ組立体が、モータ出力シャフト軸を中心として回転するモータ出力シャフトを有し、ハンドピース外部筐体がまた、モータ出力シャフト軸に対してほぼ平行に延在する内部流体通路を囲み、内部流体通路がまた、細長いモータ組立体の側部にほぼ沿って延在し、調節可能な流れ制御弁を有する流れ制御部が、ハンドピース外部筐体内に取り付けられ、調節可能な流れ制御弁が、ハンドピース外部筐体の内部流体通路と交差し、細長いモータ組立体のモータ出力シャフトが、ハンドピース駆動シャフトに機械的に接続され、ハンドピース駆動シャフトが、ハンドピース駆動シャフト軸を中心として回転可能であり、ハンドピース駆動シャフト軸が、モータ出力シャフト軸からオフセットされ、ハンドピース駆動シャフトが、駆動シャフト流体通路を有し、駆動シャフト流体通路が、ハンドピース外部筐体の内部流体通路と流体連通する、医療用ハンドピース。
【請求項２】
ハンドピース駆動シャフト軸が、駆動シャフト流体通路の長さに沿って延在し、ハンドピース駆動シャフト軸が、ハンドピース外部筐体の内部流体通路に沿って延在する、請求項１に記載の医療用ハンドピース。
【請求項３】
ハンドピース外部筐体の遠位部分上に配置された第１ボタン組立体と、ハンドピース外部筐体の近位部分上に配置された第２ボタン組立体とをさらに備える、請求項１に記載の医療用ハンドピース。
【請求項４】
第１ボタン組立体が、ハンドピース外部筐体の上方部分上にあり、第２ボタン組立体が、ハンドピース外部筐体の下方部分の上にある、請求項３に記載の医療用ハンドピース。
【請求項５】
第１ボタン組立体のボタンおよび第２ボタン組立体のボタンが、ハンドピースの単一の機能を制御するように、第１ボタン組立体および第２ボタン組立体がそれぞれ、第１の機能を有するボタンを備える、請求項３に記載の医療用ハンドピース。
【請求項６】
第１ボタン組立体および第２ボタン組立体がそれぞれ、接触ボタン構造を有する、請求項３に記載の医療用ハンドピース。
【請求項７】
ハンドピース外部筐体が、コレット機構が中に配置された筐体延長部が接続される遠位端を備える、請求項１に記載の医療用ハンドピース。
【請求項８】
コレット機構が、ロック位置に付勢され、半径方向に可動な構成要素の一部に接触するボタンを押し下げることによって非ロック位置に移動可能な半径方向に可動な構成要素を備える、請求項５に記載の医療用ハンドピース。
【請求項９】
半径方向に可動な構成要素が、内側円周面を有するリングを備え、リングが、リングの内側円周面の一部のみから内側に向かって延在するリブを有する、請求項６に記載の医療用ハンドピース。
【請求項１０】
リブが、リングの第１の部分上に配置され、ボタンが、リングの対向する部分に接触する、請求項７に記載の医療用ハンドピース。
【請求項１１】
ハンドピース駆動シャフトに接続された駆動ハブをさらに備える、請求項１に記載の医療用ハンドピース。
【請求項１２】
駆動ハブとハンドピース駆動シャフトのうちの一方が穴を有し、他方がスロットを有し、駆動ハブが、ハンドピース駆動シャフトに対して限定された範囲にわたって軸方向に可動であるように、穴とスロットの両方の中を通ってピンが延在する、請求項１１に記載の医療用ハンドピース。
【請求項１３】
駆動ハブがハンドピース駆動シャフトに対して遠位の軸方向に付勢されるように、駆動ハブの一部と、ハンドピース駆動シャフトの一部との間に取り付けられたばねをさらに備える、請求項１２に記載の医療用ハンドピース。
【請求項１４】
モータ出力シャフトが、ハンドピース駆動シャフト歯車と噛み合うモータ歯車を担持し、ハンドピース駆動シャフトが、第１軸受および第２軸受によって支持され、ハンドピース駆動シャフト歯車が、第１軸受と第２軸受の間に置かれる、請求項１に記載の医療用ハンドピース。
【請求項１５】
近位シール組立体が、第１軸受の近位に配置され、遠位シール組立体が、第２軸受の遠位に配置される、請求項１４に記載の医療用ハンドピース。
【発明の詳細な説明】
【技術分野】
【０００１】
本出願は、米国特許法第１１９条（ｅ）に基づき、参照によりその全体が本明細書に組み込まれる、２００７年５月１７日に出願された米国仮特許出願第６０／９３８，６５４号の優先権を主張する。
【０００２】
本発明は、一般に手持ち式医療装置に関する。より詳細には、本発明の特定の特徴、態様および利点は、複数の側面上に制御ボタン組立体を有する、オフセット駆動システムを有する、カニューラ挿入駆動シャフトを有するおよび／またはロックコレット機構を有する、そのような装置に関する。
【背景技術】
【０００３】
モータが、複数の異なる機能および作動特性のうちのいずれかを有する外科用装置を駆動させる手持ち式医療装置が一般に知られている。同一のハンドピースを、複数の外科用装置または刃物構造体のいずれかと共に使用することができるように、外科用装置は相互に交換可能である。
【０００４】
さらに、ＵＳ５，８７１，４９３は、吸引チャネルを通って外科用装置内に流体を吸い出すことができるハンドピースを示す。吸引チャネルは、モータの側部に沿って延在し、このモータは、外科用装置と軸方向に整列される。したがって、吸引チャネルは、必然的に外科用装置からオフセットされる。
【０００５】
ＵＳ６，２２１，０８８は、解剖組織を切断するために外科用ブレードを駆動させるための電動ハンドピースを示す。ハンドピースの遠位端は、外科用ブレードに結合する。外科用ブレードを駆動させるために、ハンドピース内にモータ組立体が搭載されてよく、吸い込みチャネルが、ハンドピース本体の中に設けられ、ハンドピース本体の一部が、外科用ブレードに接続する駆動シャフトの中に延在する。外科用ブレードは、洗浄および吸い込みを促進するために密封組立体を有する。モータは、滅菌に備えてハンドピース本体から取り外される。
【先行技術文献】
【特許文献】
【０００６】
【特許文献１】米国特許第５，８７１，４９３号明細書
【特許文献２】米国特許第６，２２１，０８８号明細書
【発明の概要】
【発明が解決しようとする課題】
【０００７】
このような構成でも十分であり得るが、これらの各構成それぞれはまた、いくつかの欠点を持っている。したがって、改良された手持ち式医療装置が、望まれている。いくつかの構成において、ハンドピースの近位端および遠位端それぞれの上に制御要素を配置することができる。いくつかの構成において、これらの制御要素は、ハンドピースの上方側および下方側のそれぞれに配置することができる。いくつかの構成において、モータによって駆動される器具の軸から軸方向にオフセットしてモータを設けることができる。いくつかの構成において、ハンドピース内を貫通する流体通路を画定することができ、この流体通路に沿って器具の軸が延在する。いくつかの実施形態において、コレット機構は、ロック位置にばね付勢され、ボタンによって非ロック位置に移動可能なロック部材を特徴として備える。
【課題を解決するための手段】
【０００８】
本発明の特定の特徴、態様および利点に従って構成され構築されたいくつかの実施形態において、医療用ハンドピースは、ハンドピース外部筐体を備える。ハンドピース外部筐体は、細長いモータ組立体を囲む。細長いモータ組立体は、モータ出力シャフトを備える。モータ出力シャフトは、モータ出力シャフト軸を中心として回転する。ハンドピース外部筐体はまた、内部流体通路を囲む。内部流体通路は、モータ出力シャフト軸に対してほぼ平行に延在する。内部流体通路はまた、細長いモータ組立体の側部にほぼ沿って延在する。流れ制御部が、ハンドピース外部筐体内に取り付けられる。流れ制御部は、調節可能な流れ制御弁を備える。調節可能な流れ制御弁は、ハンドピース外部筐体の内部流体通路と交差する。細長いモータ組立体のモータ出力シャフトは、ハンドピース駆動シャフトに機械的に接続される。ハンドピース駆動シャフトは、ハンドピース駆動シャフト軸を中心として回転可能である。ハンドピース駆動シャフト軸は、モータ出力シャフト軸からオフセットされている。ハンドピース駆動シャフトは、駆動シャフト流体通路を備える。駆動シャフト流体通路は、ハンドピース外部筐体の内部流体通路と流体連通する。
【０００９】
本発明のこれらのおよび他の特徴、態様および利点が、好ましい実施形態の図面を参照して以下に記載される。本実施形態は、本発明の特定の特徴、態様および利点を例示することを目的とする。本実施形態は、本発明を限定することを意図しない。
【図面の簡単な説明】
【００１０】
【図１】本発明による特定の特徴、態様および利点に従って構成され構築されたハンドピースの一実施形態の斜視図である。
【図２】図１の実施形態の分解組立斜視図である。
【図３】図１の実施形態の別の分解組立斜視図である。
【図４】図１の実施形態の断面図である。
【図５】図１の実施形態と共に使用される流れ制御部の拡大斜視図である。
【図６】図１の実施形態で使用されるコレット機構の拡大された部分断面斜視図である。
【図７】図１の実施形態の側面図であり、他方の側面の図は、図７の鏡像である。
【図８】図１の実施形態の端面図である。
【図９】図１の実施形態の別の端面図である。
【図１０】図１の実施形態の上面図である。
【図１１】図１の実施形態の底面図である。
【発明を実施するための形態】
【００１１】
図１は、本発明による特定の特徴、態様および利点に従って構成され構築されたハンドピース１００の一実施形態の斜視図を示す。図示のハンドピースは、関節鏡視下シェーバーであってよく、または以下に記載される本発明の特徴、態様および利点のうちのいずれか、またはその全てから利益を得るであろう任意の他のタイプの手持ち式医療装置であってよい。
【００１２】
続けて図１を最初に参照すると、図示のハンドピース１００は、外部筐体１０２を備える。外部筐体１０２は、任意の好適な材料で、また任意の適切な方法で形成することができる。外部筐体１０２は好ましくは、液体に対して不浸透である。より好ましくは外部筐体は、オートクレーブに入れられる、または他の何らかの方法で滅菌することができる。いくつかの実施形態において、外部筐体１０２は、単一部品の構成要素であり、他の実施形態では、外部筐体１０２は、任意の好適な方法で一緒に接合された複数の構成要素で形成される。
【００１３】
図示のように、いくつかの実施形態は、オフセット部分１１０によって接続される近位部分１０４と遠位部分１０６とを有する。斜めの部分１１０により、ハンドピース１００は、近位端１１２と遠位端１１４と間にわずかなオフセットを有することになる。このオフセット構造が、特定の望ましい人間工学的利点を提供する。さらに、オフセット構造により、歯車列（以下に記載される）を使用することが可能になり、その結果、比率変更が可能になり得る。図示の実施形態において、下方に傾斜する面１１６をハンドピース１００の頂部側に沿って画定することができるように、近位部分１０４は、遠位部分１０６の上方にオフセットされている。
【００１４】
続けて図１を参照すると、傾斜面１１６は好ましくは、第１ボタン組立体１２０を含む。図２は、ハンドピース１００の分解組立図を示す。第１ボタン組立体１２０は好ましくは、カバープレート１２２およびブーツ１２４を備える。カバープレート１２２は、開口１２６を有してよく、ブーツ１２４は、開口１２６内へと延在するこぶ状突起１３０を有する。いくつかの実施形態において、こぶ状突起１３０は、カバープレート１２２の上面を超えて上向きに延出する。
【００１５】
カバープレート１２２はまた、穴１３２を有し、この穴は、図示の構成では皿穴が開けられている。穴１３２は、ねじ締め具１３４を受ける。締め具１３４は、外部筐体１０２の中に画定されたくぼみ１３６の中にまたはこれを覆うようにカバープレートを固定する。くぼみ１３６は好ましくは、カバープレート１２２と共にブーツ１２４を受けるように成形され構成され、ブーツ１２４を所定の位置にしっかりと固定する。したがって、くぼみ１３６、ブーツ１２４およびカバープレート１２２の組み合わせは有利には、液密の組立体を画定することができる。このような液密の組立体は、例えば、使用する際および清浄する際に内部接続および内部構成要素を保護することが可能である。
【００１６】
ブーツ１２４の下にあるプリント回路基板１３８が、別のくぼみ１４０の中に配置される。プリント回路基板１３８は好ましくは、ブーツ１２４から離間される。より好ましくは、ブーツ１２４は金属構成要素、例えば、各こぶ状突起１３０の下にある金の構成要素などを備え、プリント回路基板１３８は、ブーツ１２４の金属構成要素によって接触され得るこれに対応する金属構成要素を備える。したがって、こぶ状突起１３０が押し下げられたときに回路を閉じるために、こぶ状突起１３０が押し下げられる際、こぶ状突起１３０およびその金属構成要素が、プリント回路基板１３８の金属構成要素に接触するようになる。換言すると、第１ボタン組立体は好ましくは、接触ボタン組立体である。他の構成も可能である。
【００１７】
いくつかの実施形態において、単一の通路１４２が、外部筐体１０２の一部を通ってハンドピースの制御回路と第１ボタン組立体１２０の間に延在する。通路１４２は、押しボタン回路をハンドピース１０２の内部部分に接続する。
【００１８】
ここで図１を参照すると、ハンドピース１００はまた、第２ボタン組立体１５０を備える。図１に示されるように、第１ボタン組立体１２０および第２ボタン組立体１５０は、ハンドピース１００の反対側の軸方向の端部上に配置される。図示の構造において、第１ボタン組立体１２０は、遠位部分１０６および斜めの部分１１０の少なくとも一方の上に配置され、第２ボタン組立体１５０は、ハンドピース１００の近位部分１０４上に配置される。さらに、図示の構造において、第１ボタン組立体１２０はハンドピース１００の頂部上に配置され、第２ボタン組立体１５０は、ハンドピース１００の底部上に配置される。したがって、いくつかの実施形態において、第１ボタン組立体１２０および第２ボタン組立体１５０は、ハンドピース１００の正反対となる部分の上にある。図示の構成は有利には、２つのボタン組立体、およびこの２つのボタンの位置によって、利用可能な手で保持する場所を増大させる。
【００１９】
ここで図３を参照すると、第２ボタン組立体１５０は好ましくは、ボス１５２に取り付けられる。ボス１５２は、図２に示されるように、図１で下方面１５４から外向きに延在する。図示の構成において、ボス１５２は、第１のくぼみ１５６を画定し、この中に第２のくぼみ１５８が画定される。通路１６０が、第２のくぼみ１５８からハンドピース１００の内部へと延在する。
【００２０】
プリント回路基板１６２は、第２のくぼみ１５８内に配置されるように大きさが決められ構成される。ワイヤ１６４が、プリント回路基板１６２から延出し、通路１６０内へと延出しその中を貫通する。ブーツ１６６は、第１のくぼみ１５６に嵌合し、実質的に第２のくぼみ１５８を覆う。ブーツ１６６は、こぶ状突起１６８およびフランジ１７０を備える。いくつかの構成において、フランジ１７０は、第１のくぼみ１５６の中に画定される面の上に置かれ、こぶ状突起１６８は、プリント回路基板１６２上の金属構成要素の上に重なる。好ましくは、こぶ状突起１６８と、プリント回路基板１６２は、離間される。第２ボタン組立体１５０は好ましくは、接触スイッチを画定するが、他の構成も可能である。
【００２１】
カバープレート１７２が、図示のボス１５２の少なくとも一部の上に重なる。図示の構成において、ボス１５２は、複数のねじ穴１７４を有し、カバープレート１７２は、これに対応する穴１７６を有する。カバープレート１７２内の穴１７６は好ましくは、皿穴が開けられ、カバープレート１７２をボス１５２の上の所定の位置に固定するねじ締め具を受ける。好ましくは、カバープレート１７２が、第１のくぼみ１５６内の面に対してブーツ１６６のフランジ１７０を押しつけるように、カバープレート１７２は、第１のくぼみ１５６の中に収容される部分を有する。この方法において、第２ボタン組立体１５０は、実質的に液密の構造を有する。
【００２２】
続けて図３を参照すると、カバープレート１７２はまた、中央開口１７８を有する。ブーツ１６６のこぶ状突起１６８は、中央開口１７８の中へ、またはいくつかの実施形態においては、これを貫通して延在することができる。第１ボタン組立体１２０と同様に、プリント回路基板１６２は好ましくは、ブーツ１６６から離間される。より好ましくは、ブーツ１６６は、こぶ状突起１６８の下方面上に金属構成要素を備え、プリント回路基板１６２は、これに対応する金属構成要素を備える。こぶ状突起１６８の金属構成要素は、それが、プリント回路基板１６２の金属構成要素と接触する際、回路を閉じることが可能である。換言すると、第２ボタン組立体１５０は好ましくは、接触ボタン組立体である。
【００２３】
第１および第２ボタン組立体１２０、１５０は、ハンドピース１００の機能を制御する制御要素に電気接続されてよい。１つの好ましい構成において、第１ボタン組立体１２０は、例えば、第１ボタン組立体１２０が、オン／オフ式、すなわち電源制御要素、方向制御ボタンおよび速度制御ボタン（例えば、速度を上げるおよび／または速度を下げる）を有するように、複数の制御部材、すなわちボタンを備えることができ、第２ボタン組立体１５０は、少なくとも１つの補助電源ボタンを備えることができる。したがって、２つのボタン組立体１２０、１５０は、いくつかの構成において、重複する電源ボタンを設けることができる。他の構成も可能である。例えば、２つのボタンが、単一の機能（例えば、電源または逆転動作または速度など）を制御するように、第１ボタン組立体１２０の少なくとも１つのボタン、および第２ボタン組立体１５０の少なくとも１つのボタンが、単一の機能を有することができる。
【００２４】
ここで図４を参照すると、図示のハンドピース１００は、例えば、カニューラ挿入切断器具用に設計される。したがって、図示のハンドピース１００の後部から延出する流体入り口２００が示される。流体入り口２００は、返しがつけられたまたは他の好適な結合構造物２０２を近位端に備えることができる。結合構造物２０２は、流体入り口２００を好適な流体源に連結するのに使用される。
【００２５】
流体入り口２００はまた、流体通路２０４を画定する。流体通路２０４は、ハンドピース流体通路２０６に流体接続される。好ましくは、ハンドピース流体通路２０６は、外部筐体１０２の内部にある一体式の通路である。いくつかの構成において、ハンドピース流体通路２０６は、外部ホースであってよいが、このような一体式の構造の清浄およびメンテナンス特性が向上することにより、図示の構成の一体式の設計が望ましい。
【００２６】
流体通路２０６を通る流れは、任意の好適な方法で制御することができる。ハンドピース流体通路２０６の好適な部分に沿って、あるいはハンドピースの内側またはハンドピース１００の外側いずれかの流体通路の別の流体接続部分に沿って、流れ制御部２１０を配置することができる。図４を参照すると、図示の流れ制御部２１０は、流れ制御シリンダ２１４によって回転するように接合されたハンドル２１２を備える。ハンドル２１２は好ましくは、ハンドピースの外部筐体１０２内に画定された横方向のくぼみ２１５の中に配置される。さらに、ハンドル２１２の少なくとも一部は好ましくは、ハンドル２１２を簡単に操作することができるように、ハンドピースの面の下で下向きに延在する。他の構成も可能である。
【００２７】
シリンダは、一部がハンドピース流れ通路２０６に一致する流れ通路を画定する内部壁２１６を備える。シリンダ２１４は、流れ通路の軸方向の両側に対して、Ｏ−リング２２０などの密封部材を受ける溝２１８を備える。Ｏ−リング２２０は、シリンダ２１４とハンドピースの内面を接続する役目をする。このように、Ｏ−リング２２０は、流体通路２０６または流れ制御部２１０から流体が漏れる可能性を低くする助けをする。
【００２８】
図示のシリンダ２１４は、軸方向の一端に、分断された段付き面２２２を備える。シリンダ２１４の分断された段付き面２２２は、ハンドル２１２の分断された段付き面２２４と噛み合う。噛み合う面を形成することによって、回転させる目的で、ハンドル２１２と、シリンダ２１４とを確実に一緒に結合することができる。他の構成も可能である。ハンドル２１２およびシリンダ２１４を、両端でねじ締め具２２６によって一緒に結合することができる。他の構成も可能である。
【００２９】
シリンダ２１４が、ハンドピース流体通路２０６内に配置される際、ハンドル２１２は、ハンドピース１００に対するハンドル２１２の角度配向（および、したがって壁２１６によって画定されるシリンダ２１４内を通る通路）によって決まる通路開放位置および通路閉鎖位置を有する。図示の構成において、ハンドル２１２がハンドピース１００の近位端に向かって配向される際、通路は開放され、ハンドルが図４の時計回り方向に回転される際、通路は閉鎖される。
【００３０】
続けて図４を参照すると、ハンドピース流体通路２０６は、駆動シャフト２３２内に画定された流体通路２３０に結合する。駆動シャフト２３２は、第１軸受２３４および第２軸受２３６によって回転するように（振動を含める）軸支される。図示の構成において、歯車２３８が、駆動シャフト２３２と一体式に形成される、または別個に形成されそこに固定される。歯車２３８は好ましくは、第１軸受２３４および第２軸受２３６の間に挿入される。
【００３１】
続けて図４を参照すると、シール組立体２４０が好ましくは、第１軸受２３４に隣接して配置される。シール組立体は、リング部材２４２を備え、リング部材２４２の外側に配置された第１シール２４４と、リング部材２４２の内側に配置された第２シール２４６とを有する。第１シール２４４は、Ｏ−リングであってよく、これは、リング部材２４２と外部筐体１０２内に形成されたくぼみとの間に挿入される。第２シール２４６は、４つ組Ｏ−リングであってよく、これはリング部材２４２とシャフトの間に挿入される。
【００３２】
ブッシュ２４８が、第２軸受２３６の外側部分の上に重なることが可能である。例えば、リップシールなどのシール２５０を、ブッシュ２４８の少なくとも一部とシャフト２３２の間に配置することができ、Ｏ−リングなどの２つ以上のシール２５２を、ブッシュ２４８と、シャフト２３２が中に延在するくぼみを画定する外部筐体１０２の面との間に配置することができる。シール座金２５４およびばね座金２５６が、外部筐体１０２のくぼみの中でシール組立体を囲む。他の構成も可能である。
【００３３】
駆動シャフト２３２は、駆動ハブ２６０の中へと延在する。駆動ハブ２６０の少なくとも一部は好ましくは、駆動シャフト２３２の少なくとも一部を囲繞する。図示の駆動ハブ２６０は、中央に配置されたフランジ２６２を備える。フランジ２６２は、駆動シャフト２３２を貫通して延在する通路２３０と流体連通する中央通路２６４を画定する。さらに、以下に記載されるように、フランジ２６２は、ハンドピース１００と共に使用される器具を支えることが可能な器具シートを画定する。さらに、フランジ２６２は、ばね２６６を支持する。
【００３４】
続けて図４を参照すると、ばね２６６は、駆動ハブ２６０のフランジ２６２と、駆動シャフト２３２の面上に形成された段２６８との間に延在する。いくつかの実施形態において、段２６８は、駆動シャフト２３２の外面上に形成される。ばね２６６は、駆動ハブ２６０と、駆動シャフト２３２とが離れるように付勢する。
【００３５】
駆動ハブ２６０は好ましくは、駆動シャフト２３２と重なり合う駆動ハブ２６０の部分の中に形成されるスロット２７０を備える。駆動シャフト２３２は、駆動ハブ２６０内のスロット２７０とほぼ一致する開口２７２を備える。いくつかの実施形態において、駆動シャフトは、１つのスロットを備えることができ、駆動ハブは、１つの開口を備える。他の構成も可能である。駆動ハブ２６０および駆動シャフト２３２が回転（振動を含める）するように概ね結合されるように、開口２７２およびスロット２７０の各側にピン２７４が挿入され、以下で考察される理由により、ある程度の軸方向の移動が可能になる。いくつかの実施形態において、カニューラ挿入シャフト内を流体が流れることができるように結合させる目的で、少なくとも２つのこの種のピン、スロット、および開口の組立体を周囲に配置することができる。いずれにしても、この種の組立体は好ましくは、回転する際（振動を含める）、ハンドピース１００のバランスを保つために周囲に対称的に離間される。
【００３６】
次に図６を参照すると、図１の実施形態の部分図にコレット機構２９０が示される。図示されるように、コレット機構２９０は、筐体延長部２９２を備える。筐体延長部２９２は、任意の好適な方法で外部筐体に接続することができる。図示の延長部２９２は、段差のある構造物を有する近位端２９４を備える。段差のある構造物は、外部筐体１０２の遠位端内で受けられる。
【００３７】
クロージャリング２９８が好ましくは、延長部２９２の遠位端２９６へと押し込まれる。クロージャリング２９８は、延長部の内面へ押し込まれる圧入外面を備えることができる。例えば、ハンドピースに切断アタッチメントを結合する際、切断アタッチメントの配向を助けるために、一組のスロット３００をコレットボタン３０８と整列させることができる。
【００３８】
ほぼ円筒形のインサート３０２を、クロージャリング２９８と延長部２９２の段差付き内面３０４との間に取り付けられることができる。円筒形インサート３０２は好ましくは、すきまを残して所定の位置に維持される。より好ましくは円筒形インサート３０２は、延長部２９２に対して半径方向に移動することが可能である。
【００３９】
図示のように、円筒形インサート３０２は、インサート３０２の内周の周りをほぼ半分だけ延在するリブ３０４を備える。リブ３０４は、例えば、ブレードアタッチメントのシャフト内の溝など切断器具アタッチメント上に形成された溝に係合するように大きさが決められ成形され構成される。他の構成も可能である。さらに、いくつかの構成において、器具のシャフトを延長部２９２の遠位端へと挿入することにより、傾斜面が、リブ３０４の方向でインサート３０２を半径方向に移動させるように、リブ３０４の遠位面は傾斜してよい。
【００４０】
続けて図６を参照すると、インサート３０２は、図６においてばね３０６によって上向きに付勢される。インサート３０２をばね３０６の付勢力に対抗して下向きに移動させるために、ボタン３０８を、インサート３０２に固定または接触させることができる。図６は、ボタン３０８を押し下げたときに予想される最下位置にあるインサート３０２を示す。ばね３０６は、延長部２９２内に形成されたくぼみ３１０の中で受けられてよい。他の構成も可能である。
【００４１】
使用する際、ブレードアタッチメントのシャフトが、コレット機構２９０へと挿入される。シャフトが挿入されると、シャフトの端部は、駆動ハブ２６０のフランジ２６２を支える。シャフトが挿入され続けると、コレット機構２９０内のインサート３０２のリブ３０４が、ブレードアタッチメントのシャフト上に形成された溝の中にロックするまで、ばね２６６の付勢に逆らって駆動ハブ２６０が移動される。リブ３０４がいったん溝の中にロックすると、ブレードアタッチメントは、駆動ハブ２６０内に係合する。駆動ハブの回転（振動を含む）が、結果としてブレードアタッチメントの回転（振動を含む）となるように、駆動ハブは、ブレードアタッチメントの対応する特徴部分に係合する端部特徴部分を有する。
【００４２】
ハンドピース１００からブレードアタッチメントを解放するために、コレット機構２９０のボタン３０８が押し下げられてブレードアタッチメントを解放する。ボタン３０８を押し下げることで、ばね３０６の付勢力に対抗してインサート３０２を筐体延長部２９２に対して下方に押しやる。インサート３０２の下方移動により、リブ３０４が、ブレードアタッチメントの溝から外れることができ、ブレードアタッチメントをハンドピースから取り外すことが可能になる。リブ３０４がいったん外れると、ばね２６６が、駆動ハブ２６０を前方に推し進め、その結果、ブレードアタッチメントが前方に移動し、リブ３０４はもはや、ブレードアタッチメントの溝と軸方向に整列されない。他の構成も可能である。
【００４３】
再び図４を参照すると、モータ組立体３２０を外部筐体１０２内に取り付けられることができる。任意の好適なモータ組立体を使用することが可能であり、モータは、例えば、圧縮空気駆動式、流体駆動式または電気式であってよい。好ましくは、外部筐体１０２内でモータ組立体３２０をほぼ密閉するシール３２１が設けられる。したがって、上記に記載の密封構成要素との組み合わせにおいて、外部筐体１０２は一般に、流体に対して不浸透である、またはほとんど浸透させない。
【００４４】
図示の構成において、モータ組立体３２０は、出力シャフト３２２を備える。出力シャフト３２２は、モータ軸ＭＡを中心として回転（振動を含める）する。モータ軸ＭＡは、出力軸ＯＡからオフセットされている。換言すると、モータ軸ＭＡは、出力軸ＯＡと軸方向に整列されない。
【００４５】
出力シャフト３２２は、駆動歯車３２４を担持する。いくつかの構成において、締め具３２６が、出力シャフト３２２の一端に駆動歯車３２４を固定する。駆動歯車３２４は、駆動シャフト２３２に取り付けられた、またはこれと一体式に形成された歯車２３８と噛み合う。好ましくは、駆動歯車３２４および歯車２３８は、モータ組立体３２０から駆動ハブ２６０へと回転速度を緩めるように構成される。他の構成も可能である。
【００４６】
特定の好ましい実施形態、実施例および変形形態の文脈において本発明を開示してきたが、当業者には、本発明が、具体的に開示された実施形態以外にも、本発明の他の代替の実施形態および／または用途、ならびに明白な修正形態およびそれらの均等物に及ぶことが理解されるであろう。さらに、本発明のいくつかの変形形態が示され、詳細に記載されてきたが、本発明の範囲内にある他の修正形態は、本開示を基礎とすることで当業者には容易に明らかであろう。本実施形態の特定の特徴および態様の様々な組み合わせまたは補助的な組み合わせが作成され、これらがなお本発明の範囲内にあり得ることが特に予想される。開示の発明の異なる様式を形成する目的で、開示の実施形態の様々な特徴および態様を互いに組み合わせる、または置き換えることが可能であることを理解されたい。さらに、別の実施形態ではなく一実施形態に対して記載されてきたいくつかの実施形態を、この種の他の実施形態と共に使用することができる。例えば、実施形態の多くは、強化部材を特徴とする。強化部材を特徴としない実施形態が、強化部材を使用することが可能であることが意図される。また多くの他の変形形態が本明細書中に記載されており、物理的に可能である相互用途が予想される。さらに、異なる組立体を同一のアイウェア上で使用することができる、または全ての組立体が、単一の構造を有することができることが予想される。したがって、本明細書で開示される本発明の範囲は、上記に記載の特定の開示の実施形態によって限定されるべきではなく、以下の特許請求の範囲を正しく読むことによってのみ定められるべきであることが意図される。
【図１】
2010527279.tif 000003
【図２】
2010527279.tif 000004
【図３】
2010527279.tif 000005
【図４】
2010527279.tif 000006
【図５】
2010527279.tif 000007
【図６】
2010527279.tif 000008
【図７】
2010527279.tif 000009
【図８】
2010527279.tif 000010
【図９】
2010527279.tif 000011
【図１０】
2010527279.tif 000012
【図１１】
2010527279.tif 000013
【国際調査報告】
2010527279.tif 000014
2010527279.tif 000015
2010527279.tif 000016